(57)【要約】【課題】ＯＬＥＤがＰＷＭ調光方式でオーバードライブされたとき、ＯＬＥＤの点灯開始の遅延を少なくする。【解決手段】ＯＬＥＤ駆動装置２は、ＯＬＥＤ１１の定格電流より大きい電流をＯＬＥＤ１１に所定期間（オーバードライブの期間）流すことにより、所定期間において、ＯＬＥＤ１１を定格電流で点灯させるよりも前記ＯＬＥＤを明るく点灯させるオーバードライブをする制御部（オーバードライブ制御部ＯＤＣ）を備え、制御部は、所定期間にＯＬＥＤ１１に流れる電流をＰＷＭ制御し、所定期間中のＰＷＭ信号において、ＯＬＥＤ１１が点灯を開始する前のパルス、および、ＯＬＥＤ１１が点灯を開始するときのパルスのうち、少なくとも１つのパルスの幅を、ＯＬＥＤ１１が点灯を開始した後のパルスの幅よりも大きく設定している。【選択図】図５
2020068159.tif 000002
【特許請求の範囲】
【請求項１】
検査用ＯＬＥＤ照明に用いられるＯＬＥＤを駆動するＯＬＥＤ駆動装置であって、
前記ＯＬＥＤの定格電流より大きい電流を前記ＯＬＥＤに所定期間流すことにより、前記所定期間において、前記ＯＬＥＤを前記定格電流で点灯させるよりも前記ＯＬＥＤを明るく点灯させるオーバードライブをする制御部を備え、
前記制御部は、前記所定期間に前記ＯＬＥＤに流れる電流をＰＷＭ制御し、前記所定期間中のＰＷＭ信号において、前記ＯＬＥＤが点灯を開始する前のパルス、および、前記ＯＬＥＤが点灯を開始するときのパルスのうち、少なくとも１つのパルスの幅を、前記ＯＬＥＤが点灯を開始した後のパルスの幅よりも大きく設定している、ＯＬＥＤ駆動装置。
【請求項２】
前記制御部は、前記ＰＷＭ信号の１番目のパルスのときに、前記ＯＬＥＤが点灯を開始するように、前記１番目のパルスの幅を２番目以降のパルスの幅よりも大きく設定している、請求項１に記載のＯＬＥＤ駆動装置。
【請求項３】
前記制御部は、前記オーバードライブを繰り返し実行するとき、各オーバードライブの前記所定期間において、前記少なくとも１つのパルスの幅を、前記ＯＬＥＤが点灯を開始した後のパルスの幅よりも大きく設定している、請求項１または２に記載のＯＬＥＤ駆動装置。
【発明の詳細な説明】
【技術分野】
【０００１】
本発明は、検査用ＯＬＥＤ照明に用いられるＯＬＥＤを駆動するＯＬＥＤ駆動装置に関する。
【背景技術】
【０００２】
ＬＥＤ（Ｌｉｇｈｔ  Ｅｍｉｔｔｉｎｇ  Ｄｉｏｄｅ）照明、ＯＬＥＤ（Ｏｒｇａｎｉｃ  Ｌｉｇｈｔ  Ｅｍｉｔｔｉｎｇ  Ｄｉｏｄｅ）照明の用途として、製品の検査用照明がある。ここでの製品は、例えば、半導体、電子・電気部品、ＦＰＤ関連、搬送・ロボット、鉄・金属部品、紙・フィルム・ガラス、自動車、ゴム・樹脂・プラスチック製品、食品、薬品、容器、包装、医療機器である。例えば、マシンビジョン（Ｍａｃｈｉｎｅ  Ｖｉｓｉｏｎ）を用いて、これらを検査するときに、照明として、ＬＥＤ照明、または、ＯＬＥＤ照明が用いられることがある。
【０００３】
検査用ＬＥＤ照明は、検査用ＯＬＥＤ照明と比べて実用化が進んでおり、例えば、オーバードライブの機能を有するＬＥＤ駆動装置が既に実用化されている。
【０００４】
オーバードライブは、定格電流（定格電流値）よりも大きな電流をＬＥＤに流す制御である。これにより、照明をより明るくすることができる。定格電流は、照明パネル（ここでは、ＬＥＤパネル）を製造するメーカが保証する、照明パネルを安定的に使用できる電流値である。ＬＥＤの故障、劣化の加速を防止するために、オーバードライブの期間は短く制限されている（例えば、１μｓ〜１０００μｓ）。
【０００５】
検査用ＬＥＤ照明に関する技術として、例えば、特許文献１に開示された照明制御電源がある。この照明制御電源は、ＬＥＤの点灯と消灯とを繰り返す制御をし、この制御において、点灯時間と消灯時間との割合を調整することにより、調光が可能な発光を実現している。
【先行技術文献】
【特許文献】
【０００６】
【特許文献１】特開２０１８−１７６３１号公報
【発明の概要】
【発明が解決しようとする課題】
【０００７】
本発明者は、ＯＬＥＤをＰＷＭ（Ｐｕｌｓｅ  Ｗｉｄｔｈ  Ｍｏｄｕｌａｔｉｏｎ）調光方式でオーバードライブする技術の実用化を検討した。この技術によれば、オーバードライブにおいて、ＯＬＥＤに流す電流をＰＷＭ制御することにより、ＯＬＥＤを調光することができる。検討の結果、以下の課題を見出した。
【０００８】
ＯＬＥＤを点灯（発光）させるためには、ＯＬＥＤの電圧は、ＯＬＥＤが点灯可能なしきい値を超える必要がある。ＰＷＭ制御の場合、ＯＬＥＤの寄生容量に電荷が蓄積しなければ、ＯＬＥＤの電圧はしきい値を超えることができない。ＯＬＥＤは面発光なので、比較的大きい寄生容量を有する。寄生容量が大きければ、電荷の蓄積に要する時間が長くなる。ＯＬＥＤの寄生容量は、比較的大きいので、電荷の蓄積に要する時間が長くなり、ＯＬＥＤの点灯開始（発光開始）が遅延する。マシンビジョンでは、大量の検査対象を高速で検査する場合があり、この場合、カメラの撮影範囲を検査対象が高速で通過する。このため、カメラのシャッタースピードは速く設定されている。ＰＷＭ調光方式でオーバードライブされるＯＬＥＤの点灯開始の遅延が大きければ、ＯＬＥＤが点灯を開始するタイミングとカメラのシャッターのタイミングとのズレが大きくなり、この照明をマシンビジョンの照明に用いることが困難となる。
【０００９】
調光によりＯＬＥＤの明るさが変えられる。ＯＬＥＤの明るさが下がるに従って、ＯＬＥＤに流す電流が少なくなるので、ＯＬＥＤの寄生容量に電荷を蓄積するために要する時間が長くなる。このため、ＯＬＥＤの明るさが下がるに従って、ＯＬＥＤの点灯開始の遅延が大きくなる。よって、ＰＷＭ調光方式でオーバードライブされたＯＬＥＤを、マシンビジョンの照明に用いる場合、ＯＬＥＤの明るさに応じて、カメラのシャッターのタイミングを変える必要がある。
【００１０】
本発明の目的は、ＯＬＥＤがＰＷＭ調光方式でオーバードライブされたとき、ＯＬＥＤの点灯開始の遅延を少なくできるＯＬＥＤ駆動装置を提供することである。
【課題を解決するための手段】
【００１１】
本発明に係るＯＬＥＤ駆動装置は、検査用ＯＬＥＤ照明に用いられるＯＬＥＤを駆動するＯＬＥＤ駆動装置であって、前記ＯＬＥＤの定格電流より大きい電流を前記ＯＬＥＤに所定期間流すことにより、前記所定期間において、前記ＯＬＥＤを前記定格電流で点灯させるよりも前記ＯＬＥＤを明るく点灯させるオーバードライブをする制御部を備え、前記制御部は、前記所定期間に前記ＯＬＥＤに流れる電流をＰＷＭ制御し、前記所定期間中のＰＷＭ信号において、前記ＯＬＥＤが点灯を開始する前のパルス、および、前記ＯＬＥＤが点灯を開始するときのパルスのうち、少なくとも１つのパルスの幅を、前記ＯＬＥＤが点灯を開始した後のパルスの幅よりも大きく設定している。
【００１２】
ＯＬＥＤが点灯を開始する前のパルス、ＯＬＥＤが点灯を開始するときのパルス、ＯＬＥＤが点灯を開始した後のパルスについて説明する。ＯＬＥＤがＰＷＭ信号のｎ番目のパルスで点灯を開始する場合、ＯＬＥＤが点灯を開始する前のパルスは、ｎ番目のパルスより前のパルスである。ＯＬＥＤが点灯を開始するときのパルスは、ｎ番目のパルスである。ＯＬＥＤが点灯を開始した後のパルスは、ｎ番目のパルスより後のパルス（ｎ＋１番目以降のパルス）である。この場合、１番目〜ｎ番目のパルスのうち、少なくとも１つのパルスの幅が、ｎ番目のパルスより後のパルスの幅よりも大きく設定される。
【００１３】
具体例で説明する。ＯＬＥＤがＰＷＭ信号の１番目のパルスで点灯を開始する場合、ＯＬＥＤが点灯を開始する前のパルスは存在しない。ＯＬＥＤが点灯を開始するときのパルスは、１番目のパルスである。ＯＬＥＤが点灯を開始した後のパルスは、１番目のパルスより後のパルス（２番目以降のパルス）である。この場合、１番目のパルスの幅が、１番目のパルスより後のパルスの幅よりも大きく設定される。
【００１４】
ＯＬＥＤがＰＷＭ信号の２番目のパルスで点灯を開始する場合、ＯＬＥＤが点灯を開始する前のパルスは、１番目のパルスである。ＯＬＥＤが点灯を開始するときのパルスは、２番目のパルスである。ＯＬＥＤが点灯を開始した後のパルスは、２番目のパルスより後のパルス（３番目以降のパルス）である。この場合、１番目のパルス、および、２番目のパルスのうち、少なくとも１つのパルスの幅が、２番目のパルスより後のパルスの幅よりも大きく設定される。少なくとも１つのパルスなので、１番目のパルスの幅が２番目のパルスより後のパルスの幅よりも大きく設定されていてもよいし、２番目のパルスの幅が２番目のパルスより後のパルスの幅よりも大きく設定されていてもよいし、１番目および２番目のパルスの幅が２番目のパルスより後のパルスの幅よりも大きく設定されていてもよい。
【００１５】
制御部は、ＯＬＥＤに対してオーバードライブをすることにより、ＯＬＥＤを定格電流で点灯（発光）よりも、ＯＬＥＤを明るく点灯させることができる。制御部は、所定期間（一回のオーバードライブの期間）にＯＬＥＤに流れる電流をＰＷＭ制御することにより、ＯＬＥＤに対してＰＷＭ調光をする。制御部は、所定期間のＰＷＭ信号において、ＯＬＥＤが点灯を開始する前のパルス、および、ＯＬＥＤが点灯を開始するときのパルスのうち、少なくとも１つのパルスの幅を、ＯＬＥＤが点灯を開始した後のパルスの幅よりも大きく設定している。これにより、ＯＬＥＤの電圧が、ＯＬＥＤが点灯可能なしきい値を超えるのに要する時間（ＯＬＥＤの寄生容量に電荷が蓄積するのに要する時間）を短くすることができる。
【００１６】
従って、本発明に係るＯＬＥＤ駆動装置によれば、ＯＬＥＤがＰＷＭ調光方式でオーバードライブされたとき、ＯＬＥＤの点灯開始の遅延を少なくできる。よって、ＯＬＥＤが点灯を開始するタイミングとカメラのシャッターのタイミングとのズレを小さくできるので、本発明に係るＯＬＥＤ駆動装置で駆動されるＯＬＥＤをマシンビジョンの照明に用いることができる。
【００１７】
ＯＬＥＤの明るさが下がるに従って、ＯＬＥＤの点灯開始の遅延量が大きくなる。本発明に係るＯＬＥＤ駆動装置によれば、ＯＬＥＤの点灯開始の遅延を少なくできるので、ＯＬＥＤの明るさが異なっても、点灯開始の遅延量を同じと見なすことができる。よって、本発明に係るＯＬＥＤ駆動装置で駆動されるＯＬＥＤをマシンビジョンの照明に用いた場合、ＯＬＥＤの明るさに応じてカメラのシャッタースピードを変える必要をなくすことができる。
【００１８】
上記構成において、前記制御部は、前記ＰＷＭ信号の１番目のパルスのときに、前記ＯＬＥＤが点灯を開始するように、前記１番目のパルスの幅を２番目以降のパルスの幅よりも大きく設定している。
【００１９】
この構成では、ＰＷＭ信号の１番目のパルスでＯＬＥＤが点灯を開始する。この構成によれば、１番目のパルスより後のパルス（２番目以降のパルス）で、ＯＬＥＤが点灯を開始する場合と比べて、ＯＬＥＤの点灯を開始の遅延を少なくできる。
【００２０】
上記構成において、前記制御部は、前記オーバードライブを繰り返し実行するとき、各オーバードライブの前記所定期間において、前記少なくとも１つのパルスの幅を、前記ＯＬＥＤが点灯を開始した後のパルスの幅よりも大きく設定している。
【００２１】
所定期間が経過し、１回のオーバードライブが終了すると、ＯＬＥＤの寄生容量に蓄積された電荷は放電される。このため、次のオーバードライブにおいて、前記少なくとも１つのパルスの幅が、ＯＬＥＤが点灯を開始した後のパルスの幅よりも大きくない場合、次のオーバードライブでは、ＯＬＥＤの点灯を開始の遅延を少なくできない。この構成によれば、オーバードライブが繰り返し実行されるとき、オーバードライブ毎に、前記少なくとも１つのパルスの幅を、ＯＬＥＤが点灯を開始した後のパルスの幅よりも大きくしている。従って、オーバードライブ毎にＯＬＥＤの点灯を開始の遅延を少なくできる。
【発明の効果】
【００２２】
本発明によれば、ＯＬＥＤがＰＷＭ調光方式でオーバードライブされたとき、ＯＬＥＤの点灯開始の遅延を少なくできる。
【図面の簡単な説明】
【００２３】
【図１】実施形態に係るＯＬＥＤ照明システムの等価回路図である。
【図２】ＯＬＥＤ駆動装置に備えられるオーバードライブ制御部の機能ブロック図である。
【図３】オーバードライブ制御部で生成されるオーバードライブ信号とＰＷＭ信号との関係を示すタイミングチャートである。
【図４】ＰＷＭ信号の生成方法の一例を説明するタイミングチャートである。
【図５】オーバードライブ信号と、ＰＷＭ信号と、ＯＬＥＤの電流との関係を示すタイミングチャートである。
【図６】実施形態のシミュレーションのグラフと比較例のシミュレーションのグラフとを比較する比較図である。
【発明を実施するための形態】
【００２４】
以下、図面に基づいて本発明の実施形態を詳細に説明する。各図において、同一符号を付した構成は、同一の構成であることを示し、その構成について、既に説明している内容については、その説明を省略する。
【００２５】
図１は、実施形態に係るＯＬＥＤ照明システム１００の等価回路図である。ＯＬＥＤ照明システム１００は、検査用照明に用いられ、ＯＬＥＤパネル１と、ＯＬＥＤ駆動装置２と、ケーブル３と、を備える。ＯＬＥＤパネル１とＯＬＥＤ駆動装置２とは別体であり、これらはケーブル３によって接続されている。
【００２６】
ＯＬＥＤパネル１は、ＯＬＥＤ１１と定電流ダイオード１２とを備える。ＯＬＥＤ１１は、１つのＯＬＥＤ素子、または、直列接続された複数のＯＬＥＤ素子であり、面発光をする。Ｃｄは、ＯＬＥＤ１１の寄生容量を示す。ＲＩは、ＯＬＥＤ１１のリーク電流が要因となるインピーダンスを示す。Ｒは、ＯＬＥＤ１１に接続されている配線（ケーブル３、ＯＬＥＤパネル１内の配線、ＯＬＥＤ駆動装置２内の配線）の抵抗と、ＯＬＥＤ１１のアノード電極の抵抗と、ＯＬＥＤ１１のカソード電極の抵抗とを合わせた抵抗を示す。
【００２７】
ＯＬＥＤ１１の電圧ｖが、ＯＬＥＤ１１が点灯するしきい値を超えたとき、ＯＬＥＤ１１に電流ｉが流れ始め、ＯＬＥＤ１１が点灯を開始する。
【００２８】
定電流ダイオード１２のアノードがＯＬＥＤ１１のカソードと接続されている。定電流ダイオード１２は、ＯＬＥＤ１１に定電流を流す素子である。定電流ダイオード１２の替わりに、定電流回路が用いられてもよい。
【００２９】
ＯＬＥＤ駆動装置２は、電圧源２１と、ＭＣＵ（Ｍｉｃｒｏ  Ｃｏｎｔｒｏｌｌｅｒ  Ｕｎｉｔ）２２と、スイッチング素子２３と、を備えており、ＯＬＥＤ１１を駆動する。
【００３０】
電圧源２１は、例えば、ＡＣ−ＤＣコンバータまたはＤＣ−ＤＣコンバータであり、ケーブル３を介して、ＯＬＥＤ１１のアノードと接続されている。電圧源２１は、ＯＬＥＤ１１のアノードに正電圧を印加する。正電圧は、ＯＬＥＤ１１の電圧ｖと定電流ダイオード１２の駆動に必要な電圧とを足した電圧より大きい。
【００３１】
ＭＣＵ２２は、ＯＬＥＤ１１を調光するためのＰＷＭ信号を生成する。ＯＬＥＤ１１は、ＰＷＭ調光方式によって調光される。なお、ＭＣＵ２２の替わりに、ＰＬＤ（Ｐｒｏｇｒａｍｍａｂｌｅ  Ｌｏｇｉｃ  Ｄｅｖｉｃｅ）を用いてもよい。
【００３２】
スイッチング素子２３は、ＭＣＵ２２から出力されたＰＷＭ信号によってオンオフされる。スイッチング素子２３は、例えば、ＮチャネルパワーＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）である。スイッチング素子２３は、第１電極、第２電極および第３電極を備える。第１電極（ＮチャネルパワーＭＯＳＦＥＴのゲート電極）には、ＭＣＵ２２から出力されたＰＷＭ信号が入力する。第２電極（ＮチャネルパワーＭＯＳＦＥＴのドレイン電極）は、ケーブル３を介して、定電流ダイオード１２のカソードと接続されている。第３電極（ＮチャネルパワーＭＯＳＦＥＴのソース電極）は、接地されている。
【００３３】
定電流ダイオード１２は、ＯＬＥＤパネル１のカソード側に配置されているが、ＯＬＥＤパネル１のアノード側に配置されていてもよい。定電流ダイオード１２は、ＯＬＥＤパネル１に配置されているが、ケーブル３に配置されていてもよいし、ＯＬＥＤ駆動装置２に配置されていてもよい。
【００３４】
定電流ダイオード１２は、ＯＬＥＤ１１がオーバードライブされたときにＯＬＥＤ１１に流すことができる定格電流以上の定電流を流すことができる。ＰＷＭ制御によって、ＯＬＥＤ１１に流れる定電流の大きさが、その定格電流以下にされる。
【００３５】
図２は、ＯＬＥＤ駆動装置２に備えられるオーバードライブ制御部ＯＤＣの機能ブロック図である。図３は、オーバードライブ制御部ＯＤＣで生成されるオーバードライブ信号とＰＷＭ信号との関係を示すタイミングチャートである。オーバードライブ制御部ＯＤＣは、ＯＬＥＤ１１に対して、オーバードライブを実行すると共に、ＰＷＭ調光方式によってＯＬＥＤ１１を調光する。オーバードライブは、ＯＬＥＤ１１の定格電流より大きい電流をＯＬＥＤ１１に所定期間流すことにより、所定期間において、ＯＬＥＤ１１を定格電流で点灯させるよりもＯＬＥＤ１１を明るく点灯させることである。所定期間が、オーバードライブの期間となる。
【００３６】
図２および図３を参照して、オーバードライブ制御部ＯＤＣは、オーバードライブ信号生成部２２ａと、ＰＷＭ信号生成部２２ｂと、スイッチング素子２３と、を備える。オーバードライブ信号生成部２２ａおよびＰＷＭ信号生成部２２ｂは、ＭＣＵ２２によって実現される。
【００３７】
オーバードライブ信号生成部２２ａは、オーバードライブ信号を生成する。オーバードライブ信号が、ＬレベルとＨレベルとが繰り返されることにより、オーバードライブが繰り返される。１つのＨレベルの期間が１回のオーバードライブの期間（所定期間）である。
【００３８】
ＰＷＭ信号生成部２２ｂは、オーバードライブの期間に、ＰＷＭ信号を生成する。ＰＷＭ信号は、スイッチング素子２３に入力し、スイッチング素子２３をオンオフさせる。ＰＷＭ信号がＨレベルのとき、スイッチング素子２３がオンとなり、図１に示す電圧源２１、ＯＬＥＤ１１、定電流ダイオード１２、および、スイッチング素子２３からなる回路に電流が流れる。ＰＷＭ信号がＬレベルのとき、スイッチング素子２３がオフとなり、上記回路に電流が流れない。
【００３９】
図４は、ＰＷＭ信号の生成方法の一例を説明するタイミングチャートである。図２および図４を参照して、ＰＷＭ信号生成部２２ｂは、カウンタ２２ｃを備える。カウンタ２２ｃは、０から第１の数ｎ１までカウントすると、カウント値を０に戻し、再び、０から第１の数ｎ１までカウントする。オーバードライブ信号がＬレベルからＨレベルになったとき、カウンタ２２ｃは、カウントを開始し、オーバードライブ信号がＨレベルからＬレベルになったとき、カウントを終了する。
【００４０】
カウンタ２２ｃがカウントを開始したとき、ＰＷＭ信号生成部２２ｂは、ＰＷＭ信号をＬレベルからＨレベルにする。カウンタ２２ｃが０から第２の数ｎ２（ｎ２＜ｎ１）までカウントしたとき、ＰＷＭ信号生成部２２ｂは、ＰＷＭ信号をＨレベルからＬレベルにする。これにより、１番目のパルスＰ１が生成される。１番目のパルスＰ１の幅はｗ１であり、これは、カウンタ２２ｃが０から第２の数ｎ２までカウントするのに要した時間と対応する。
【００４１】
カウンタ２２ｃが０から第１の数ｎ１までカウントしたとき、カウンタ２２ｃはカウント値を０に戻し、ＰＷＭ信号生成部２２ｂは、ＰＷＭ信号をＬレベルからＨレベルにする。カウンタ２２ｃが０から第３の数ｎ３（ｎ３＜ｎ２）までカウントしたとき、ＰＷＭ信号生成部２２ｂは、ＰＷＭ信号をＨレベルからＬレベルにする。これにより、２番目のパルスＰ２が生成される。２番目のパルスＰ２の幅はｗ２であり、これは、カウンタ２２ｃが０から第３の数ｎ３までカウントするのに要した時間と対応する。これより後のパルスは、２番目のパルスＰ２と同様にして生成される。従って、これより後のパルスの幅は、ｗ２であり、２番目のパルスＰ２の幅と同じである。
【００４２】
オーバードライブ制御部ＯＤＣは、オーバードライブの期間にＯＬＥＤ１１に流れる電流をＰＷＭ制御し、オーバードライブの期間中のＰＷＭ信号において、１番目のパルスＰ１の幅（＝ｗ１）を２番目以降のパルスの幅（＝ｗ２）より大きく設定している。
【００４３】
図５は、オーバードライブ信号と、ＰＷＭ信号と、ＯＬＥＤ１１の電流ｉとの関係を示すタイミングチャートである。各オーバードライブの期間（所定期間）にＰＷＭ信号が生成されている。図１および図５を参照して、ＰＷＭ信号の１番目のパルスＰ１によって、ＯＬＥＤ１１に電流ｉが流れ始めている。従って、１番目のパルスＰ１はＯＬＥＤ１１が点灯を開始するときのパルスである。２番目以降のパルスはＯＬＥＤ１１が点灯を開始した後のパルスである。
【００４４】
オーバードライブ信号がＬレベルからＨレベルに切り替わるとき、オーバードライブの期間が開始するタイミングｔ１である。ＯＬＥＤ１１に電流ｉが流れ始めるタイミングｔ２は、タイミングｔ１より遅れている。すなわち、ＯＬＥＤ１１の点灯開始が遅延している。これは、ＯＬＥＤ１１の寄生容量Ｃｄに電荷を蓄積するのに時間を要するからである。
【００４５】
実施形態によれば、ＯＬＥＤ１１の点灯開始の遅延を少なくできることを説明する。図４に示すように、実施形態のＰＷＭ信号は、１番目のパルスＰ１の幅（＝ｗ１）が２番目以降のパルスの幅（＝ｗ２）より大きくされている。比較例のＰＷＭ信号は、全てのパルスの幅がｗ２にされている。図６は、実施形態のシミュレーションのグラフと比較例のシミュレーションのグラフとを比較する比較図である。グラフの横軸は、時間を示す。グラフの左側縦軸は、ＯＬＥＤ１１の電圧ｖを示す。グラフの右側縦軸は、ＯＬＥＤ１１の電流ｉを示す。
【００４６】
図１および図６を参照して、実施形態の場合、ＰＷＭ信号の１番目のパルスＰ１によって、ＯＬＥＤ１１の電圧ｖが、ＯＬＥＤ１１が点灯するしきい値を超えている。これは、ＯＬＥＤ１１の寄生容量Ｃｄに電荷が蓄積されたことを意味する。従って、１番目のパルスＰ１によって、ＯＬＥＤ１１に電流ｉが流れ始め、ＯＬＥＤ１１が点灯を開始する。１番目のパルスＰ１は、ＯＬＥＤ１１が点灯を開始するときのパルスである。２番目以降のパルスは、ＯＬＥＤ１１が点灯を開始した後のパルスである。オーバードライブの期間（所定期間）が開始するタイミングとＯＬＥＤ１１が点灯を開始するタイミングとの差が、遅延時間Ｔ１（遅延量）である。
【００４７】
比較例の場合、ＰＷＭ信号の８番目のパルスによって、ＯＬＥＤ１１の電圧ｖが、ＯＬＥＤ１１が点灯するしきい値を超えている。従って、８番目のパルスによって、ＯＬＥＤ１１に電流ｉが流れ始め、ＯＬＥＤ１１が点灯を開始する。オーバードライブの期間（所定期間）が開始するタイミングとＯＬＥＤ１１が点灯を開始するタイミングとの差が、遅延時間Ｔ２（遅延量）である。
【００４８】
実施形態の遅延時間Ｔ１は、比較例の遅延時間Ｔ２と比べて短い。この理由を説明する。実施形態の場合、１番目のパルスＰ１の幅（ＯＬＥＤ１１が点灯を開始するときのパルスの幅）が、２番目以降のパルスの幅（ＯＬＥＤ１１が点灯を開始した後のパルスの幅）より大きく設定されている。これにより、ＯＬＥＤ１１の電圧ｖが、ＯＬＥＤ１１が点灯可能な電圧に到達するのに要する時間を短くすることができる。
【００４９】
以上説明したように、実施形態によれば、ＯＬＥＤ１１がＰＷＭ調光方式でオーバードライブされたとき、ＯＬＥＤ１１の点灯開始の遅延を少なくできる。
【００５０】
図４および図５を参照して、オーバードライブ制御部ＯＤＣは、ＰＷＭ信号の１番目のパルスＰ１のときに、ＯＬＥＤ１１が点灯を開始するように、１番目のパルスＰ１の幅（＝ｗ１）を２番目以降のパルスの幅（＝ｗ２）よりも大きく設定している。従って、実施形態によれば、１番目のパルスＰ１より後のパルス（２番目以降のパルス）で、ＯＬＥＤ１１が点灯を開始する場合と比べて、ＯＬＥＤ１１の点灯を開始の遅延を少なくできる。
【００５１】
オーバードライブの期間が経過し、１回のオーバードライブが終了すると、ＯＬＥＤ１１の寄生容量に蓄積された電荷は放電される。このため、次のオーバードライブにおいて、１番目のパルスＰ１の幅が、１番目のパルスＰ１より後のパルス（ＯＬＥＤ１１が点灯を開始した後のパルス）の幅よりも大きくない場合、次のオーバードライブでは、ＯＬＥＤ１１の点灯を開始の遅延を少なくできない。実施形態によれば、オーバードライブ制御部ＯＤＣは、オーバードライブを繰り返し実行するとき、各オーバードライブの期間（所定期間）において、１番目のパルスＰ１の幅を、１番目のパルスＰ１より後のパルス（ＯＬＥＤ１１が点灯を開始した後のパルス）の幅よりも大きく設定している。従って、オーバードライブ毎にＯＬＥＤ１１の点灯を開始の遅延を少なくできる。
【００５２】
図４および図５を参照して、実施形態によれば、オーバードライブ制御部ＯＤＣは、オーバードライブの期間（所定期間）において、ＰＷＭ信号を構成するパルスのうち、１番目のパルスＰ１の幅（＝ｗ１）を、１番目のパルスＰ１より後のパルス（２番目以降のパルス）の幅（＝ｗ２）よりも大きく設定し、１番目のパルスＰ１でＯＬＥＤ１１が点灯を開始するように制御している。しかしながらこれに限定されない。オーバードライブ制御部ＯＤＣは、ＯＬＥＤ１１が点灯を開始する前のパルス、および、ＯＬＥＤ１１が点灯を開始するときのパルスのうち、少なくとも１つのパルスの幅を、ＯＬＥＤ１１が点灯を開始した後のパルスの幅よりも大きく設定する。また、オーバードライブ制御部ＯＤＣは、２番目以降のパルスでＯＬＥＤ１１が点灯を開始するように制御してもよい。
【符号の説明】
【００５３】
１  ＯＬＥＤパネル
１１  ＯＬＥＤ
１２  定電流ダイオード
２  ＯＬＥＤ駆動装置
２３  スイッチング素子
３  ケーブル
１００  ＯＬＥＤ照明システム
ＯＤＣ  オーバードライブ制御部（制御部の具体例）
Ｐ１  １番目のパルス
Ｐ２  ２番目のパルス
Ｔ１，Ｔ２  遅延時間
ｉ  ＯＬＥＤの電流
ｖ  ＯＬＥＤの電圧
【図１】
2020068159.tif 000003
【図２】
2020068159.tif 000004
【図３】
2020068159.tif 000005
【図４】
2020068159.tif 000006
【図５】
2020068159.tif 000007
【図６】
2020068159.tif 000008